(57)【要約】【課題】  本発明は、銀行券、パスポート、有価証券、印紙類、商品タグ、有料道路等の回数券及び各種チケット等の貴重品に適用することが可能な偽造防止媒体に関するものである。【解決手段】  基材の一部に、光反射性層を有する光学的変化素子が付与され、光学的変化素子が付与されていない領域に第１の画像が形成され、光学的変化素子が付与された領域に第２の画像が形成され、第１の画像は光学的変化素子が付与されていない領域に、基材を貫通又は非貫通の複数の穿孔によって形成され、第２の画像は光学的変化素子の光反射性層の光反射性基材が除去された複数の光透過性画素によって形成されたことを特徴とする偽造防止媒体である。【選択図】  図１
2008265248.tif 000002
【特許請求の範囲】
【請求項１】
基材の一部に、光反射性層を有する光学的変化素子が付与され、
前記光学的変化素子が付与されていない領域に第１の画像が形成され、前記光学的変化素子が付与された領域に第２の画像が形成され、
前記第１の画像は前記光学的変化素子が付与されていない領域に、前記基材を貫通又は非貫通の複数の穿孔によって形成され、
前記第２の画像は前記光学的変化素子の前記光反射性層の光反射性基材が除去された複数の光透過性画素によって形成されたことを特徴とする偽造防止媒体。
【請求項２】
基材の一部に、光反射性層を有する光学的変化素子が付与され、
前記光学的変化素子が付与されていない領域と前記光学的変化素子が付与された領域に画像が形成され、
前記画像は第１の画素と第２の画素からなり、
前記第１の画素は前記光学的変化素子が付与されていない領域に、前記基材を貫通又は非貫通の複数の穿孔によって形成され、
前記第２の画素は前記光学的変化素子の前記光反射性層の光反射性基材が除去された複数の光透過性画素によって形成されたことを特徴とする偽造防止媒体。
【請求項３】
前記穿孔及び前記光透過性画素の形状が、円、楕円、正方形、多角形及び特殊形状の少なくとも一つで形成されたことを特徴とする請求項１又は２記載の偽造防止媒体。
【請求項４】
前記第１の画像と前記第２の画像が隣接又は近接して配置され、前記第１の画像と前記第２の画像により所定の形状（模様）が形成されていることを特徴とする請求項１又は３記載の偽造防止媒体。
【請求項５】
前記穿孔及び前記光透過性画素の径が、４０〜１０００μｍで形成されたことを特徴とする請求項１、２、３又は４記載の偽造防止媒体。
【請求項６】
基材の一部に、光反射性層を有する光学的変化素子が付与され、前記光学的変化素子が付与されていない領域と前記光学的変化素子が付与された領域に第１の画素及び第２の画素からなる画像が形成された偽造防止媒体の作製方法において、
基材の一部に、前記光学的変化素子を付与する手段と、
第１の機械的方法によって前記基材を貫通又は非貫通の複数の穿孔によって前記第１の画素を形成する手段と、
化学的方法又は第２の機械的方法によって前記光学的変化素子の前記光反射性層の光反射性基材が除去された複数の光透過性画素によって前記第２の画素を形成する手段によって作製されたことを特徴とする偽造防止媒体の作製方法。
【請求項７】
前記第１の機械的方法は、ＣＯ２レーザ又は穿孔針によって前記基材を貫通又は非貫通の複数の穿孔を形成することを特徴とする請求項６記載の偽造防止媒体の作製方法。
【請求項８】
前記第２の機械的方法は、ＹＶＯ４又はＹＡＧレーザによって前記光反射性層の光反射性基材が除去することを特徴とする請求項６記載の偽造防止媒体の作製方法。
【請求項９】
前記化学的方法は、溶剤によって前記光反射性層の光反射性基材が除去することを特徴とする請求項６記載の偽造防止媒体の作製方法。
【発明の詳細な説明】
【技術分野】
【０００１】
本発明は、銀行券、パスポート、有価証券、印紙類、商品タグ、有料道路等の回数券及び各種チケット等の貴重品に適用することが可能な偽造防止媒体及びその作製方法に関するものである。
【背景技術】
【０００２】
銀行券、パスポート、有価証券、印紙類、商品タグ、有料道路等の回数券及び各種チケット等の貴重品は、その価値を保証及び維持するために、偽造防止技術が施されている。そのため、このような貴重品には、その基材の表面に光学的変化素子を貼付して真偽判別を行っている。光学的変化素子から成るスレッド又はホログラム等は複写防止及び複製防止の観点から特に有効な偽造防止エレメントの一つであるため、多くの貴重品に適用されてきている。
【０００３】
ホログラムが用いられている技術として、例えば、基材の表面にホログラム転写箔層が付着形成された偽造防止ラベルが開示されている（例えば、特許文献１参照）。
【０００４】
また、ホログラムの金属蒸着層に情報を付与する技術として、少なくとも透明プラスチックフィルム基材、回折格子パターン、金属蒸着層及び粘着剤層から成るラベル材であって、金属蒸着層が溶融された固有情報としての印字パターンを有する偽造防止ラベル材としたものであり、金属蒸着層を、透明プラスチックフィルム基材面よりＹＡＧ又はＣＯ２ 等のレーザビームの照射により非接触にて溶融し、固有情報としての印字パターンとすることを特徴とする偽造防止ラベル材が開示されている（例えば、特許文献２参照）。
【０００５】
また、ホログラムと印刷を組み合わせた技術としては、ホログラムを設けてある証券において、ホログラムと紙面との間に割印の如く一葉ごとに異なる絵柄を刻印したことを特徴とするホログラム付証券が開示されている（例えば、特許文献３参照）。
【０００６】
また、ホログラムと微細な孔を組み合わせた技術としては、基材と、基材の一面に貼り付けられた光学的変化素子のシートから構成される貴重印刷物であって、基材は、シートの貼り付けられた部分を含む範囲において、レーザビームにより孔が貫通して形成されており、そのシートは、その両面に特定の情報が付与されて成り、シートの情報は、シートを貼り付けた表面側から確認できると共に、基材を貫通して形成された孔を通して裏面側からも確認でき、シートを剥離しようとすると、基材は多数の微細な孔が形成されているために破壊して復元が困難となるような構成としたことを特徴とする貴重印刷物が開示されている（例えば、特許文献４参照）。
【０００７】
さらに、基材の一部に光学的変化素子が付与された偽造防止媒体において、基材の一部に光学的変化素子が付与された領域と光学的変化素子が付与されていない領域の境界を挟むように微細な穿孔群によって割印画像が形成されて成る偽造防止媒体が開示されている（例えば、特許文献５参照）。
【０００８】
【特許文献１】特開昭６１−１８２５８０号公報（第１頁、第１−４図）
【特許文献２】特開平１０−３３３５７４号公報（第１−４頁、第１、２図）
【特許文献３】特開２０００−３５５１８３号公報（第１−３頁、第１、２図）
【特許文献４】特許第３３３６３７８号公報（第１−６頁、第５、６図）
【特許文献５】特開２００６−２０５６７４号公報（第１−７頁、第１−１３図）
【発明の開示】
【発明が解決しようとする課題】
【０００９】
しかしながら、近年、誰でもホログラム等の原理を知ることができるようになってきており、一見見ただけでは判別できないほどに再現性の良いホログラムが偽造、複製されてきている。また、ホログラムを剥して改ざんされるおそれもある。よって、特許文献１のように基材に、ホログラムを貼付しただけでは容易に偽造又は改ざんが可能となる。特許文献２の固有情報は容易に偽造できないため、偽造防止効果には優れるが、基材から綺麗に剥離され、改ざんされるおそれがあった。このようなことから、特許文献３のようにホログラムと基材との間に絵柄を刻印し、ホログラムを剥して改ざんする行為を防止する技術が開示されているが、絵柄は反射光で観察した場合に確認できるものであった。特許文献４は、ホログラムに穿孔を形成する案件であるが、割印の形態については一切記載されていなかった。特許文献５はホログラムに穿孔が割印の形態で形成されているが、ホログラムが付与された領域及びホログラムが付与されていない領域を同一の方法で割印の穿孔群が形成可能であるため、複製されやすい問題があった。
【００１０】
本発明は前述した問題点を解決することを目的としたもので、反射光と透過光では異なった画像が確認でき、光学的変化素子が付与されていない領域と、光学的変化素子が付与された領域に形成される画像は、同一の方法では作製することが困難であり、複製防止又は真偽判別効果に優れる偽造防止媒体及びその作製方法を提案するものである。
【課題を解決するための手段】
【００１１】
本発明は、基材の一部に、光反射性層を有する光学的変化素子が付与され、光学的変化素子が付与されていない領域に第１の画像が形成され、光学的変化素子が付与された領域に第２の画像が形成され、第１の画像は光学的変化素子が付与されていない領域に、基材を貫通又は非貫通の複数の穿孔によって形成され、第２の画像は光学的変化素子の光反射性層の光反射性基材が除去された複数の光透過性画素によって形成されたことを特徴とする偽造防止媒体である。なお、第１の画像と第２の画像は隣接又は近接して配置され、二つの画像により一つの形状（模様）を形成している。
【００１２】
また、本発明の偽造防止媒体は、基材の一部に、光反射性層を有する光学的変化素子が付与され、光学的変化素子が付与されていない領域と光学的変化素子が付与された領域に画像が形成され、画像は第１の画素と第２の画素から成り、第１の画素は光学的変化素子が付与されていない領域に、基材を貫通又は非貫通の複数の穿孔によって形成され、第２の画素は光学的変化素子の光反射性層の光反射性基材が除去された複数の光透過性画素によって形成されたことを特徴とする偽造防止媒体である。
【００１３】
また、本発明の偽造防止媒体は、穿孔及び光透過性画素の形状が、円、楕円、正方形、多角形及び特殊形状の少なくとも一つで形成されたことを特徴とする偽造防止媒体である。
【００１４】
また、本発明の偽造防止媒体は、穿孔及び光透過性画素の径が４０〜１０００μｍで形成されたことを特徴とする偽造防止媒体である。
【００１５】
また、本発明は、基材の一部に、光反射性層を有する光学的変化素子が付与され、光学的変化素子が付与されていない領域と光学的変化素子が付与された領域に第１の画素及び第２の画素から成る画像が形成された偽造防止媒体の作製方法において、基材の一部に、光学的変化素子を付与する手段と、第１の機械的方法によって基材を貫通又は非貫通の複数の穿孔によって第１の画素を形成する手段と、化学的方法又は第２の機械的方法によって光学的変化素子の光反射性層の光反射性基材が除去された複数の光透過性画素によって第２の画素を形成する手段によって作製されたことを特徴とする偽造防止媒体の作製方法である。
【００１６】
また、本発明の偽造防止媒体の作製方法は、第１の機械的方法が、ＣＯ２レーザ又は穿孔針によって基材を貫通又は非貫通の複数の穿孔を形成することを特徴とする。
【００１７】
また、本発明の偽造防止媒体の作製方法は、第２の機械的方法が、ＹＶＯ４又はＹＡＧレーザによって光反射性層の光反射性基材が除去することを特徴とする。
【００１８】
また、本発明の偽造防止媒体の作製方法は、化学的方法が、溶剤によって光反射性層の光反射性基材が除去することを特徴とする。
【発明の効果】
【００１９】
本発明の偽造防止媒体は、光学的変化素子が付与されていない領域と光学的変化素子が付与された領域に形成される画像によって、有意味の画像を形成していることから、反射光と透過光では異なった画像が確認できると共に、割印的な役割を果たしていることから、仮にＯＶＤを剥がして改ざんしても、一方に穿孔による画像がないことから有意味画像が形成できず、真偽判別を容易に行うことができる。
【００２０】
本発明の偽造防止媒体は、光学的変化素子が付与されていない領域と光学的変化素子が付与された領域に形成される画像が、同一の方法では作製することが困難であるため、複製防止効果に優れる。
【００２１】
本発明の偽造防止媒体は、万一、流通過程で光学的変化素子が剥がれてしまった場合に、光学的変化素子が付与されていないため、真偽判別が困難になるが、光学的変化素子が付与されていない領域に画像の一部が形成されているため、その有無によって真偽判別が可能となる。
【００２２】
また、光透過性画素の個々の径を４０〜１２０μｍ程度で形成することによって光学的変化素子の回折効果を損なうことがない。
【００２３】
以上のことから、本発明の偽造防止媒体は、複製防止及び真偽判別効果に優れるため、銀行券、パスポート、有価証券、印紙類、商品タグ、有料道路等の回数券、カード及び各種チケット等の貴重品に適用することができる。
【発明を実施するための最良の形態】
【００２４】
本発明の実施するための最良の形態を図面を参照して説明する。しかしながら、本発明は以下に述べる実施するための最良の形態に限定されるものではなく、特許請求の範囲記載における技術的思想の範囲内であれば、その他の色々な実施の形態が含まれる。
【００２５】
（偽造防止媒体）
図１に偽造防止媒体Ａ１とその断面図を示す。図１に示すように、基材１の表面の一部に、光反射性層を有する光学的変化素子２が付与され、光学的変化素子２が付与された領域と光学的変化素子２が付与されていない領域を含んで画像３が形成される。画像３は光学的変化素子２が付与された領域と光学的変化素子２が付与されていない領域を含んで形成されるため割印の形態となる。図１では画像３は、四角形のデザインとなっている。
【００２６】
画像３は第１の画素３ａと第２の画素３ｂから成る。第１の画素３ａは、光学的変化素子２が付与されていない領域に、基材１を貫通する複数の穿孔４によって形成される。第２の画素３ｂは、図２に示すように保護層７、回折格子パターン８、光反射性層５及び粘着層９から成る光学的変化素子２の光反射性層５における光反射性基材が除去された複数の光透過性画素６よって形成される。本発明に用いる光学的変化素子２は、前述の構成に限定されることなく、アルミ箔又はアルミ箔に回折格子を有するホログラムを用いることが可能である。よって、少なくとも光反射性層５を有していれば良い。光反射性層５は、アルミニウム、金、銀、錫、ビスマス、ニッケル又は鉛等で形成可能である。また、光学的変化素子の形状は、円形、楕円形、多角形、星形等の特殊形状、スレッド状又は窓開スレッド状等、特に限定されるものではない。よって、反射光、透過光及び磁気等の少なくとも一つのセンサで読取可能となる。
【００２７】
図３（ａ）は、偽造防止媒体Ａ１を反射光で観察した場合を示す。偽造防止媒体Ａ１は、穿孔４の径が８０〜１０００μｍ程度あり、光透過性画素６の径が４０〜１２０μｍ未満程度の場合を示す図である。図３（ａ）に示すように、第１の画素３ａである基材１を貫通する複数の穿孔は、８０〜１０００μｍで形成されているため、肉眼で確認することができる。第２の画素３ｂは、光反射性層５が除去された４０〜１２０μｍ未満程度の複数の光透過性画素６によって形成されるため、光反射性層５の反射光の影響を受けて肉眼で確認し難い状態となる。よって、第１の画素３ａのみが確認できる。
【００２８】
図３（ｂ）は、偽造防止媒体Ａ１を透過光で観察した場合を示す。図３（ｂ）に示すように、第１の画素３ａである基材１を貫通する複数の穿孔４は、８０〜１０００μｍで形成されているため、穿孔４からの透過光が肉眼で確認することができる。第２の画素３ｂである複数の光透過性画素６の透過光量は、光反射性層５の透過光量より大きいためコントラストが生じる。よって、第１の画素３ａ及び第２の画素３ｂから成る画像３が確認できる。
【００２９】
（変形例１）
図４（ａ）は、偽造防止媒体Ａ２を反射光で観察した場合を示す。偽造防止媒体Ａ２は、穿孔４の径が４０〜８０μｍ未満程度あり、光透過性画素６の径が１２０〜１０００μｍ程度の場合を示す図である。図４（ａ）に示すように、第１の画素３ａである基材１を貫通する複数の穿孔４は、４０〜８０μｍ未満で形成されているため、肉眼で確認し難い状態となる。第２の画素３ｂは、光反射性層５が除去された１２０〜１０００μｍ程度の複数の光透過性画素６によって形成されるため、光反射性層５の反射光の影響を受けにくく、肉眼で確認することができる。よって、第２の画素３ｂのみが確認できる。
【００３０】
図４（ｂ）は、偽造防止媒体Ａ２を透過光で観察した場合を示す。図４（ｂ）に示すように、第１の画素３ａである基材１を貫通する複数の穿孔４は、４０〜８０μｍで形成されているが、微細な穿孔から透過光が得られて肉眼で確認することができる。第２の画素３ｂである複数の光透過性画素６の透過光量は、光反射性層５の透過光量より大きいためコントラストが生じる。よって、第１の画素３ａ及び第２の画素３ｂから成る画像３が確認できる。
【００３１】
また、第１の画素３ａの穿孔の径及び第２の画素３ｂの光透過性画素６の径を適宜選択することで、反射光で観察した場合に、第１の画素３ａ及び第２の画素３ｂが共に確認されることはなく、透過光で観察した場合に、第１の画素３ａ及び第２の画素３ｂから成る画像３が確認できる形態や、反射光又は透過光で観察した場合に第１の画素３ａ及び第２の画素３ｂが共に確認できる形態を作製することができる。
【００３２】
（変形例２）
本発明は、図１に示した偽造防止媒体Ａ１又は偽造防止媒体Ａ２に限定されることなく、図５に示す偽造防止媒体Ａ３のように、第１の画素３ａである複数の穿孔４が、非貫通、つまり基材１を貫通していなくても良い。この場合、反射光で観察した場合に偽造防止媒体Ａ１又は偽造防止媒体Ａ２で選択した穿孔４の径より肉眼で確認し難くなるため、反射光で確認できるようにするためには８０μｍより径を大きく形成する必要がある。これは、穿孔４が基材を貫通していないため、穿孔４の凹部が基材１と等色となりコントラストが付き難いためである。透過光で観察した場合も同様に偽造防止媒体Ａ１又は偽造防止媒体Ａ２で選択した穿孔４の径より肉眼で確認し難くなるため、透過光で確認できるようにするためには４０μｍより径を大きく形成する必要がある。
【００３３】
（変形例３）
図６は、偽造防止媒体Ａ４を示す図である。偽造防止媒体Ａ４は、基材１の一部に光反射性層５を有する光学的変化素子２が付与され、光学的変化素子２が付与されていない領域に第１の画像１１（数字の１）が形成され、光学的変化素子２が付与された領域に第２の画像１２（数字の２）が形成されている。第１の画像１１は、光学的変化素子２が付与されていない領域に、基材を貫通又は非貫通の複数の穿孔４によって形成される。第２の画像１２は、光学的変化素子２の光反射性層５の光反射性基材が除去された複数の光透過性画素６によって形成される。第１の画像１１及び第２の画像１２のデザインについては、特に限定されることはなく、文字、記号、数字、彩紋模様、ロゴマーク又は図柄等を形成することが可能である。
【００３４】
（変形例４）
図７（ａ）は、光学的変化素子２がスレッドに形成された偽造防止媒体Ａ５を示す図である。
【００３５】
（変形例５）
図７（ｂ）は、光学的変化素子２が窓開きスレッドに形成された偽造防止媒体Ａ６を示す図である。
【００３６】
第１の画素３ａ及び第２の画素３ｂで形成される画像３のデザインについては、特に限定されることはなく、文字、記号、数字、彩紋模様、ロゴマーク又は図柄等を形成することが可能である。さらに画像３内に情報を埋め込むことが可能である。
【００３７】
例えば、図８に示すように、第１の画素３ａ及び第２の画素３ｂで形成される画像３Ａは、基材に背景画像（図面では英字Ｔ以外の領域）となる多数の微細な背景穿孔４ａ及び／又は背景光透過性画素６ａと、この背景穿孔４ａ及び／又は背景光透過性画素６ａに対して、潜像画像（図面では英字Ｔの領域）は、Ｘ方向に略半ピッチずらして配列した情報穿孔４ｂ及び／又は情報光透過性画素６ｂによって形成される例である。また、潜像画像は、Ｙ方向に略半ピッチずらして配列した情報穿孔４ｂ及び／又は情報光透過性画素６ｂによって形成してもよい。
【００３８】
さらに、図９に示すように、画像３Ｂは、Ｘ方向に略半ピッチずらして配列した情報穿孔４ｂ１及び／又は情報光透過性画素６ｂ１によって形成し、Ｙ方向に略半ピッチずらして配列した情報穿孔４ｂ２及び／又は情報光透過性画素６ｂ２によって形成することで複数の潜像画像（Ｔ、Ｊ）を形成している例である。
【００３９】
また、図１０に示すように、画像３Ｃは、基材に背景画像となる多数の微細な背景穿孔４ａ及び／又は背景光透過性画素６ａと、潜像画像となる背景穿孔４ａ及び／又は背景光透過性画素６ａに比べて、穿孔及び／又は光透過性画素の大きさが異なる情報穿孔４ｂ及び／又は情報光透過性画素６ｂで形成している例である。図面では、背景穿孔４ａ及び／又は背景光透過性画素６ａよりも情報穿孔４ｂ及び／又は情報光透過性画素６ｂの径の方が大きいが、背景穿孔４ａ及び／又は背景光透過性画素６ａよりも情報穿孔４ｂ及び／又は情報光透過性画素６ｂの径の方が小さくてもよい。大きい径は小さい径の１．５〜３倍程度が好ましい。
【００４０】
また、背景穿孔４ａ及び／又は背景光透過性画素６ａと、情報穿孔４ｂ及び／又は情報光透過性画素６ｂのＸ方向及び／又はＹ方向の位置関係は、特に限定されるものではない。また、図１１に示すように画像３Ｄは、基材に背景画像となる多数の微細な背景穿孔４ａ及び／又は背景光透過性画素６ａと、潜像画像となる背景穿孔４ａ及び／又は背景光透過性画素６ａに比べて、穿孔及び／又は光透過性画素の配置角度（図面では楕円形状で配置角度が９０度異なる）が異なる情報穿孔４ｂ及び／又は情報光透過性画素６ｂで形成している例である。配置角度については特に限定されるものではないが、３０〜１５０度程度が好ましい。
【００４１】
図８乃至図１１に示した画像３Ａ、３Ｂ、３Ｃ及び３Ｄは、背景穿孔及び／又は背景光透過性画素と、情報穿孔及び／又は情報光透過性画素の位置がずれていたり、大きさが異なっていたり、配置角度が異なっているが、穿孔及び／又は光透過性画素は、微細であるため肉眼では背景穿孔及び／又は背景光透過性画素と、情報穿孔及び／又は情報光透過性画素を区分けして視認することができない。
【００４２】
図８又は図９の画像３Ａ、３Ｂは、縦方向又は横方向に伸びるストライプの万線が形成された判別具を重ね合わせて潜像画像が視認でき、図１０又は図１１の基材を傾けて観察することによって、画像３Ｃ及び３Ｄ内に形成した潜像画像が視認できる。ストライプの万線が形成された判別具は、例えば、ＹＣＭ（イエロー、シアン、マゼンダ）、ＹＣＭ、ＹＣＭ・・・を順に縦方向又は横方向に伸びるストライプで形成したり、ＲＧＢ（レッド、グリーン、イエロー）、ＲＧＢ、ＲＧＢ・・・を順に縦方向又は横方向に伸びるストライプで形成したり、また、凹凸によって万線を形成することが可能である。
【００４３】
さらに、本発明の偽造防止媒体は、画像３内に秘匿情報を埋め込むことが可能である。下記に一例を示す。図１２（ａ）乃至図１２（ｄ）に記載されている図面の円形又は多角形を穿孔及び光透過性画素とする。図１２（ａ）については、横列の穿孔及び／又は光透過性画素の間隔によって「０」、「１」を表現した例であり、上から２行目の穿孔及び／又光透過性画素の間隔（Ｓ、Ｓ’）は、穿孔及び／又は光透過性画素の間隔の広い（Ｓ）と、間隔（Ｓ）より穿孔及び／又光透過性画素の間隔が狭い（Ｓ’）に区分けされ、穿孔及び／又は光透過性画素の間隔が大、大、大、小、小、小となっており、これによって、「１１１０００」又は「０００１１１」と情報を表現することができる。同様に３行目の穿孔及び／又光透過性画素の間隔（Ｓ、Ｓ’）は、穿孔及び／又光透過性画素の間隔が小、大、大、小、小、大となっており、これによって、「０１１００１」又は「１００１１０」と情報を表現することができる。１行目及び４行目以降も同様に情報を付与することができる。
【００４４】
図１２（ｂ）については、穿孔及び／又光透過性画素の位置によって「０」、「１」を表現した例であり、１行目の穿孔及び／又光透過性画素の位置（Ｔ）を基準位置とした場合、上から２行目の穿孔及び／又光透過性画素において、１行目の穿孔及び／又光透過性画素の位置（Ｔ）からずれている穿孔及び／又光透過性画素（Ｕ’）を「１」とし、ずれていない穿孔及び／又光透過性画素（Ｕ）を「０」とすると、「０１０１０１０」と情報を表現することができる。また、１行目の穿孔の位置（Ｔ）からずれている穿孔及び／又光透過性画素（Ｕ’）を「０」とし、ずれていない穿孔及び／又光透過性画素（Ｕ）を「１」とすると、「１０１０１０１」と情報を表現することができる。また、１行目及び３行目以降も同様に情報を付与することができる。
【００４５】
図１２（ｃ）については、穿孔及び／又光透過性画素の大きさによって「０」、「１」を表現した例であり、上から２行目の穿孔及び／又光透過性画素において、直径の大きな穿孔及び／又光透過性画素（Ｖ’）を「１」とし、それに比べて小さな穿孔及び／又光透過性画素（Ｖ）を「０」とすると、「０１０１０１０」と情報を表現することができる。また、直径の大きな穿孔及び／又光透過性画素（Ｖ’）を「０」とし、それに比べ小さな穿孔及び／又光透過性画素（Ｖ）を「１」とすると、「１０１０１０１」と情報を表現することができる。１行目及び３行目以降も同様に情報を付与することができる。
【００４６】
図１２（ｄ）については、穿孔及び／又光透過性画素の形状によって「０」、「１」を表現した例であり、上から２行目の穿孔及び／又光透過性画素において、多角形の穿孔及び／又光透過性画素（Ｗ’）を「１」、円形の穿孔及び／又光透過性画素（Ｗ）を「０」とすると、「０１０１０１０」と情報を表現することができる。また、多角形の穿孔及び／又光透過性画素（Ｗ’）を「０」、円形の穿孔及び／又光透過性画素（Ｗ）を「１」とすると、「１０１０１０１」と情報を表現することができる。１行目及び３行目以降も同様に情報を付与することができる。
【００４７】
図１２（ａ）乃至図１２（ｄ）の秘匿情報が埋め込まれた画像は、「微細な穿孔を有する真偽判別形成体と真偽判別装置：特許第３３８５４６１号公報参照、特許第３３８８３８８号公報参照」、「情報が付与された穿孔列を有する偽造防止形成体及びその読取判別方法：特許第３３８８３８９号公報参照」、及び「微細な穿孔を有する真偽判別デバイス：特許第３３０６５１０号公報参照」に記載されている。よって、媒体毎に異なった情報（可変情報）を付与することも可能である。
【００４８】
図１３に示す偽造防止媒体Ａ６は、基材１の個別印刷情報１０と画像３が形成されている。画像３は、目視不可能な秘匿情報が埋め込まれている。秘匿情報は個別印刷情報１０と同一の情報又は異なった情報を形成することができる。図１４は、偽造防止媒体Ａ７を認証する方法を説明図である。図１４に示すようにＳＴＥＰ１は、認証クライアント端末によって個別印刷情報１０及び秘匿情報を読み取る。秘匿情報は、「微細な穿孔により付与された二値化データの読取装置：特許第３３８５３５７号公報参照」に記載の読取装置を用いて読み取り可能であり、印刷情報は文字、図柄等が読み取り可能な一般的な読取装置で読み取ることができる。
【００４９】
ＳＴＥＰ２は、ネットワークを介して認証サーバ端末で読み取られた個別印刷情報１０及び秘匿情報と、認証サーバ端末内にあらかじめ個別印刷情報１０及び秘匿情報が関連付け登録されているデータベースによって認証する。
【００５０】
ＳＴＥＰ３は、認証サーバ端末で個別印刷情報１０及び秘匿情報が合致した場合に「真」と判断し、個別印刷情報１０及び秘匿情報が合致していない場合に「偽」と判断し、ネットワークを介して判断結果を認証クライアント端末に通信して認証する。
【００５１】
本発明の偽造防止媒体の穿孔及び光透過性画素の径は、４０〜１０００μｍで形成されることが好ましい。４０μｍ以下であると透過光で観察した場合に画像が確認し難くなり、１０００μｍ以上であると基材の強度が損なうおそれが生じる。また、穿孔及び光透過性画素のピッチは、６０〜２０００μｍの範囲で形成することが好ましい。また、穿孔及び光透過性画素の形状は、特に限定されることはないが、円、楕円、正方形、多角形、線状及び特殊形状の少なくとも一つで形成することができる。また、偽造防止媒体の形成される画像は、レーザ加工機によって形成するため、１枚、１枚に異なった可変情報が容易に形成可能となる。例えば、１枚目は「１２３４５」、２枚目を「１２３４６」のように数字等を異ならすこともできる。
【００５２】
基材は、光を透過できるものであれば、紙又はプラスチック等であり、特に限定されるものではない。紙基材の場合の坪量は、１０〜１００ｇ／ｍ2程度が好ましい。基材は、多層紙のような構造にしても良い。また、基材の厚さは５０〜１０００μｍ程度が好ましい。また、基材の厚さと、穿孔及び光透過性画素の径は、基材の厚さに対して０．５〜２倍程度であることが好ましい。
【００５３】
本発明の偽造防止媒体は、基材の一方の面に光学的変化素子が付与された場合に、光学的変化素子が付与された領域の基材の一方の面及び／又は他方の面に地紋、彩紋等の印刷模様を形成することができる。
【００５４】
さらに、本発明の偽造防止媒体は、エンボス、印刷によって割印で設けても良い。
【００５５】
（偽造防止媒体の作製方法）
偽造防止媒体は、基材の一部に、光学的変化素子を付与する手段と、第１の機械的方法によって基材を貫通又は非貫通の複数の穿孔によって画像の第１の画素又は第１の画像を形成する手段と、化学的方法又は第２の機械的方法によって光学的変化素子の光反射性層の光反射性基材が除去された複数の光透過性画素によって画像の第２の画素又は第２の画像を形成する手段によって作製可能である。これらの作製手順は特に限定されることはない。
【００５６】
例えば、第１の工程で基材の一部に光学的変化素子を付与し、第２の工程で、第１の機械的方法によって基材を貫通又は非貫通の複数の穿孔により画像の第１の画素を形成し、第３の工程では、第２の機械的方法によって光学的変化素子の光反射性層の光反射性基材が除去された複数の光透過性画素により画像の第２の画素を形成し、偽造防止媒体を作製することができる。また、第１の工程で、第１の機械的方法によって基材を貫通又は非貫通の複数の穿孔により画像の第１の画素を形成し、第２の工程で、化学的方法又は第２の機械的方法によって光学的変化素子の光反射性層の光反射性基材が除去された複数の光透過性画素により画像の第２の画素を形成し、第３の工程で、基材の一部に光学的変化素子を付与し、偽造防止媒体を作製することができる。
【００５７】
第１の機械的方法は、レーザ加工機のＣＯ２レーザビーム又は穿孔機の穿孔針によって基材を貫通又は非貫通の複数の穿孔を形成することができる。第２の機械的方法は、レーザ加工機のＹＶＯ４又はＹＡＧレーザによって光反射性層の光反射性基材が除去することができる。化学的方法は、２０〜５０℃の５％の苛性ソーダ溶液を含む溶剤等によって光反射性層の一部が除去し、光透過性画素を形成することができる。
【００５８】
前述の穿孔及び光透過性画素が形成可能なレーザビームであれば、特にレーザの種類は限定されることはないが、第１のレーザビームはＣＯ２レーザ（波長１０．６μｍ）であり、第２のレーザビームはＹＶＯ４（波長１．０６μｍ）又はＹＡＧレーザ（波長１．０６μｍ）であることが好ましい。
【実施例】
【００５９】
以下、実施例を用いて本発明を更に詳細に説明するが、本発明の内容は、これらの実施例の範囲に限定されるものではない。
【００６０】
（実施例１）
厚さ約８０μｍの紙基材の表面に、スポット状にホログラムをホログラム貼付機によって貼付した。ホログラムは、保護層７、回折格子パターン８、光反射性層５及び粘着層９から成る。次に、ホログラムが貼付された領域とホログラムが貼付されていない領域の境界を挟んで画像３をレーザ加工機によって形成した。
【００６１】
画像３は、第１の画素３ａと第２の画素３ｂから成る。第１の画素３ａは、ホログラム２が付与されていない領域に、レーザ加工機のＣＯ２レーザによって基材１を貫通する円形状の直径８５μｍの穿孔及び穿孔間隔１７０μｍの穿孔４を複数形成した。第２の画素３ｂは、レーザ加工機のＹＶＯ４レーザ（キーエンス社製  ＭＤ−Ｖ９６００  出力５％以上）によって、ホログラム２の光反射性層５の光反射性基材を除去した。光反射性基材を除去することで直径４０μｍの穿孔及び穿孔間隔１７０μｍの光透過性画素６によって形成した。図１５に示すような画像３を有する偽造防止媒体Ｂ１が得られた。偽造防止媒体Ｂ１は、反射光で観察した場合に第１の画素３ａのみが確認でき、透過光で観察した場合に第１の画素３ａ及び第２の画素３ｂから成る画像３が確認できた。
【００６２】
（実施例２）
抄造段階で帯状のスレッド状のホログラムを挿入した厚さ約１００μｍの紙基材を作製した。ホログラムは、保護層７、回折格子パターン８、光反射性層５及び粘着層９から成る。次に、ホログラムが貼付された領域とホログラムが貼付されていない領域の境界を挟んで画像３をレーザ加工機によって形成した。画像３は、第１の画素３ａと第２の画素３ｂから成る。第１の画素３ａは、ホログラム２が付与されていない領域に、レーザ加工機のＣＯ２レーザによって基材１を貫通する円形状の直径４０μｍの穿孔及び穿孔間隔１２０μｍの穿孔４を複数形成した。
【００６３】
第２の画素３ｂは、レーザ加工機のＹＶＯ４レーザ（キーエンス社製  ＭＤ−Ｖ９６００  出力５％以上）によってホログラム２の光反射性層５の光反射性基材を除去した。光反射性基材を除去することで直径１５０μｍの穿孔及び穿孔間隔２００μｍの光透過性画素６によって形成した。図１６に示すような画像３を有する偽造防止媒体Ｂ２が得られた。偽造防止媒体Ｂ２は、反射光で観察した場合に第２の画素３ｂが確認でき、第１の画素３ａは確認し難い状態であり、透過光で観察した場合に第１の画素３ａ及び第２の画素３ｂから成る画像３が確認できた。
【図面の簡単な説明】
【００６４】
【図１】偽造防止媒体Ａ１とその断面図を示す図である。
【図２】光学的変化素子２と光学的変化素子２に形成される光透過性画素６を示す図である。
【図３】偽造防止媒体Ａ１を反射光又は透過光で観察した場合を示す図である。
【図４】偽造防止媒体Ａ２を反射光又は透過光で観察した場合を示す図である。
【図５】第１の画素３ａである複数の穿孔が、非貫通である偽造防止媒体Ａ３を示す図である。
【図６】偽造防止媒体Ａ４を示す図である。
【図７】光学的変化素子２がスレッドに形成された偽造防止媒体Ａ５及び光学的変化素子２が窓開きスレッドに形成された偽造防止媒体Ａ６を示す図である。
【図８】画像３Ａに潜像画像が形成された例を示す図である。
【図９】画像３Ｂに潜像画像が形成された例を示す図である。
【図１０】画像３Ｃに潜像画像が形成された例を示す図である。
【図１１】画像３Ｄに潜像画像が形成された例を示す図である。
【図１２】画像に秘匿情報が埋め込まれた例を示す図である。
【図１３】偽造防止媒体Ａ６を示す図である。
【図１４】偽造防止媒体Ａ６を認証する方法の説明図である。
【図１５】偽造防止媒体Ｂ１を示す図である。
【図１６】偽造防止媒体Ｂ２を示す図である。
【符号の説明】
【００６５】
１          基材
２          光学的変化素子
３、３Ａ、３Ｂ、３Ｃ、３Ｄ          画像
３ａ        第１の画素
３ｂ        第２の画素
４          穿孔
４ａ        背景穿孔
４ｂ、４ｂ１、４ｂ１、４ｂ２          情報穿孔
５          光反射性層
６          光透過性画素
６ａ        背景光透過性画素
６ｂ、６ｂ１、６ｂ２          情報光透過性画素
７          保護層
８          回折格子パターン
９          粘着層
１０        個別印刷情報
Ａ１、Ａ２、Ａ３、Ａ４、Ａ５、Ａ６、Ａ７、Ｂ１、Ｂ２            偽造防止媒体
Ｓ          広い間隔の穿孔
Ｓ’        狭い間隔の穿孔
Ｔ          穿孔の位置
Ｕ          穿孔の位置からずれていない穿孔
Ｕ’        穿孔の位置からずれている穿孔
Ｖ          直径の小さな穿孔
Ｖ’        直径の大きな穿孔
Ｗ          円形の穿孔
Ｗ’        多角形の穿孔
【図１】
2008265248.tif 000003
【図２】
2008265248.tif 000004
【図３】
2008265248.tif 000005
【図４】
2008265248.tif 000006
【図５】
2008265248.tif 000007
【図６】
2008265248.tif 000008
【図７】
2008265248.tif 000009
【図８】
2008265248.tif 000010
【図９】
2008265248.tif 000011
【図１０】
2008265248.tif 000012
【図１１】
2008265248.tif 000013
【図１２】
2008265248.tif 000014
【図１３】
2008265248.tif 000015
【図１４】
2008265248.tif 000016
【図１５】
2008265248.tif 000017
【図１６】
2008265248.tif 000018